(57)【特許請求の範囲】
【請求項１】
基材層の表面にマーキングを介して多数の表示部が印刷され裏側に基材層とは異質のシーラント層が積層された一定長さの包装フィルムと、前記一定長さの包装フィルムを接続しながら巻芯に捲着して長尺の包装フィルムとする接続工程と、前記長尺の包装フィルムを繰り出すための包装フィルム繰出工程と、該繰り出された包装フイルムを長手方向に折曲させる折曲工程と、該折曲された包装フィルムの長手方向に沿った解放側辺を縦シールする縦シール工程と、該縦シール工程で縦シールされた包装フィルムの間に一定量宛の流動物質を充填する充填工程と、該充填工程で一定量の流動物質を充填された包装フィルムの前記マーキング位置で横シールする横シール工程と、該横シール工程で横シールされた包装フイルムの横シール部位を切断する切断工程と、を含む小袋包装の包装フィルムの接続方法であって、前記一定長さの包装フィルムと次一定長さの包装フィルムとの端辺近傍のマーキング位置で切断して先端辺と終端辺を夫々形成し、前記先端辺と前記終端辺とを突き合わせると共に基材層側はセロファンテープ又はポリプロピレンテープを貼着させシーラント層側はシーラント層と同材の接着テープを貼着させることを特徴とする小袋包装のフィルム接続方法。
【請求項２】
基材層の表面にマーキングを介して多数の表示部が印刷され裏側に基材層とは異質のシーラント層が積層された一定長さの包装フィルムと、前記一定長さの包装フィルムを接続しながら巻芯に捲着して長尺の包装フィルムとする接続工程と、前記長尺の包装フィルムを繰り出すための包装フィルム繰出工程と、該繰り出された包装フイルムを長手方向に折曲させる折曲工程と、該折曲された包装フィルムの長手方向に沿った解放側辺を縦シールする縦シール工程と、該縦シール工程で縦シールされた包装フィルムの間に一定量宛の流動物質を充填する充填工程と、該充填工程で一定量の流動物質を充填された包装フィルムの前記マーキング位置で横シールする横シール工程と、該横シール工程で横シールされた包装フイルムの横シール部位を切断する切断工程と、を含む小袋包装の包装フィルムの接続方法であって、前記一定長さの包装フィルムと次一定長さの包装フィルムとの端辺近傍のマーキング位置で切断して先端辺と終端辺を夫々形成し、前記先端辺と前記終端辺とを突き合わせると共に基材層側はセロファンテープ又はポリプロピレンテープを貼着させることを特徴とする小袋包装のフィルム接続方法。
【発明の詳細な説明】
【技術分野】
【０００１】
本発明は、小袋包装のフィルム接続方法に関するものであり、更に詳細には、積層したフィルムを折曲させ間に醤油やソース、マヨネーズ等の液状物、粘状物、又は、唐辛子、胡麻等の粉粒状物の流動物質を包装する小袋包装における一定長さの包装フイルムと次一定長さの包装フイルムとの夫々の端辺の接続方法に関するものである。
【背景技術】
【０００２】
従来、この種の小袋包装のフィルム接続方法は、各種考慮され開発使用されているが、完全なものは無く、小袋に切断したとき接続部から充填した流動物質が流失して充填装置を汚してしまうことから、接続部が近づくと流動物を充填する手段を停止して接続部を通過させた上で充填を再開している実情である。
【０００３】
例えば、後行繰出しフィルム２を、それの待機位置で幅方向に保持するフィルム保持部材３と、フィルム保持部材３とほぼ平行に位置し、それに対して進退変位されて、先行繰出しフィルム１を後行繰出しフィルム２に押圧してヒートシールするヒートシール歯６、７と、フィルムの繰出し方向に対し、ヒートシール歯６、７より後方側に配置されて、フィルム保持部材３に対して進退変位されるとともに、ヒートシール歯６、７に沿った方向に走行されるカッター刃１１と、前記フィルム保持部材３を、フィルムを保持する進出位置と、フィルム繰出し経路から後退する後退位置との間でフィルム幅方向にストロークさせる往復駆動手段８とを具えてなるもの（特許文献１参照）や、合成樹脂フィルムからなる一の包装用フィルム及び他の包装用フィルムを連結してなる包装用フィルムの連結構造において、一の包装用フィルムの繋ぎ端部と他の包装用フィルムの繋ぎ端部とを重ね合せてなり、包装用フィルムの外面と同種の材料からなるフィルムシートを、上記両包装用フィルムの繋ぎ端部に覆い被せて該包装用フィルムの外面に熱融着してなる（特許文献２参照）等が開示されている。
【特許文献１】特許第３８５３３３５号公報
【特許文献２】特開２００５−１４５０８号公報
【発明の開示】
【発明が解決しようとする課題】
【０００４】
然し乍ら、特許文献１に記載のものは、先行繰出しフィルム１を後行繰出しフィルム２に押圧してヒートシールするものであるが、一枚のフィルムの末端辺と次のフィルムの先端辺をヒートシールするものであり、ヒートシールに適した一種類のフィルムの接続には適しているものの、フィルムによってヒートシールは不向きなものや、溶着が不完全ものや、弱いものがあり材質によって配慮する必要があり、更に、構造上一枚のフィルムの末端辺の裏側面と次のフィルムの先端辺の表側面を重ね合わせて接着することから、異質のフィルムを積層したフィルムではヒートシールが上手くできないものであり、更に、特許文献２に記載のものは、合成樹脂フィルムの連結構造において、一の包装用フィルムの繋ぎ端部と他の包装用フィルムの繋ぎ端部とを重ね合せてなり、包装用フィルムの外面と同種の材料からなるフィルムシートを、両包装用フィルムの繋ぎ端部に覆い被せて熱融着しているもので、接続部位が肉厚となり、熱溶着に時間がかかると共に、熱溶着に適応する一種類同士の連結しかできないものであった。
【課題を解決するための手段】
【０００５】
本発明の小袋包装のフィルム接続方法は、前記課題に鑑み鋭意研鑚の結果、基材層の表面にマーキングを介して多数の表示部が印刷され裏側に基材層とは異質のシーラント層が積層された一定長さの包装フィルムと、一定長さの包装フィルムを接続しながら巻芯に捲着して長尺の包装フィルムとする接続工程と、長尺の包装フィルムを繰り出すための包装フィルム繰出工程と、繰り出された包装フイルムを長手方向に折曲させる折曲工程と、折曲された包装フィルムの解放側辺を縦シールする縦シール工程と、縦シール工程で縦シールされた包装フィルムの間に流動物質を充填する充填工程と、充填工程で流動物質を充填された包装フィルムのマーキング位置で横シールする横シール工程と、横シール工程で横シールされた包装フイルムの横シール部位を切断する切断工程と、を含む小袋包装の包装フィルムの接続方法であって、一定長さの包装フィルムと次一定長さの包装フィルムとの端辺近傍のマーキング位置で切断して先端辺と終端辺を形成し、先端辺と終端辺とを突き合わせると共に基材層側はセロファンテープ又はポリプロピレンテープを貼着させシーラント層側はシーラント層と同材の接着テープを貼着させるものであり、更に、一定長さの包装フィルムと次一定長さの包装フィルムとの端辺近傍のマーキング位置で切断して先端辺と終端辺を形成し、先端辺と終端辺とを突き合わせると共に基材層側はセロファンテープ又はポリプロピレンテープを貼着させるものである。
【発明の効果】
【０００６】
本発明の小袋包装のフィルム接続方法は、マーキング位置で切断して一定長さの包装フィルムの終端辺と次一定長さの包装フィルムの先端辺と形成し、先端辺と終端辺とを突き合わせると共に基材層側はセロファンテープ又はポリプロピレンテープを貼着させシーラント層側はシーラント層と同材の接着テープを貼着させるものであり、更に、マーキング位置で切断して一定長さの包装フィルムの終端辺と次一定長さの包装フィルムの先端辺と形成し、終端辺と先端辺とを突き合わせると共に基材層側はセロファンテープ又はポリプロピレンテープを貼着させるものであり、接続させるだけのために複雑で高価な装置や接続させるだけの熱溶着装置を不要とすると共に、包装装置を停めることなく包装作業が継続でき、確実に且つ以後の切断工程で切断しても接続部から漏洩することな皆無となるもので、極めて有効な効果を有した実用性の高い発明である。
【発明を実施するための最良の形態】
【０００７】
以下、本発明の小袋包装のフィルム接続方法の実施例を図面を用いて詳細に説明すると、図１は本発明の小袋包装のフィルム接続方法の実施例の工程を説明するための概要図であり、図２は本発明の小袋包装のフィルム接続方法の実施例の接続部位の要部断面説明図であり、図３は本発明の小袋包装のフィルム接続方法の次実施例の接続部位の要部断面説明図であり、図４は本発明の小袋包装のフィルム接続方法の実施例の接続部位の平面図である。
【０００８】
本発明は、小袋包装のフィルム接続方法に関するものであり、更に詳細には、積層したフィルムを折曲させ間に醤油やソース、マヨネーズ等の液状物、粘状物、又は、唐辛子、胡麻等の粉粒状物の流動物質を包装する小袋包装における一定長さの包装フイルム１Ａと次一定長さの包装フイルム１Ｂとの夫々の端辺の接続方法に関するものであり、請求項１に記載の小袋包装のフィルム接続方法は、基材層１ａの表面にマーキング１ａａを介して多数の表示部１ａｂが印刷され裏側に基材層１ａとは異質のシーラント層１ｂが積層された一定長さの包装フィルム１Ａ．１Ｂと、前記一定長さの包装フィルム１Ａ．１Ｂを接続しながら巻芯２に捲着して長尺の包装フィルム１とする接続工程と、前記長尺の包装フィルム１を繰り出すための包装フィルム繰出工程と、該繰り出された包装フイルム１を長手方向に折曲させる折曲工程と、該折曲された包装フィルム１の長手方向に沿った解放側辺を縦シールする縦シール工程と、該縦シール工程で縦シールされた包装フィルム１の間に一定量宛の流動物質を充填する充填工程と、該充填工程で一定量の流動物質を充填された包装フィルム１の前記マーキング１ａａ位置で横シールする横シール工程と、該横シール工程で横シールされた包装フイルム１の横シール部位を切断する切断工程と、を含む小袋包装の包装フィルムの接続方法であって、前記一定長さの包装フィルム１Ａと次一定長さの包装フィルム１Ｂとの端辺近傍のマーキング１ａａ位置で切断して先端辺と終端辺を夫々形成し、前記先端辺と前記終端辺とを突き合わせると共に基材層１ａ側はセロファンテープ又はポリプロピレンテープ２を貼着させシーラント層１ｂ側はシーラント層１ｂと同材の接着テープ３を貼着させるものである。
【０００９】
更に、請求項２に記載の小袋包装のフィルム接続方法は、基材層１ａの表面にマーキング１ａａを介して多数の表示部１ａｂが印刷され裏側に基材層１ａとは異質のシーラント層１ｂが積層された一定長さの包装フィルム１Ａ．１Ｂと、前記一定長さの包装フィルム１Ａ．１Ｂを接続しながら巻芯２に捲着して長尺の包装フィルム１とする接続工程と、前記長尺の包装フィルム１を繰り出すための包装フィルム繰出工程と、該繰り出された包装フイルム１を長手方向に折曲させる折曲工程と、該折曲された包装フィルム１の長手方向に沿った解放側辺を縦シールする縦シール工程と、該縦シール工程で縦シールされた包装フィルム１の間に一定量宛の流動物質を充填する充填工程と、該充填工程で一定量の流動物質を充填された包装フィルム１の前記マーキング１ａａ位置で横シールする横シール工程と、該横シール工程で横シールされた包装フイルム１の横シール部位を切断する切断工程と、を含む小袋包装の包装フィルムの接続方法であって、前記一定長さの包装フィルム１Ａと次一定長さの包装フィルム１Ｂとの端辺近傍のマーキング１ａａ位置で切断して先端辺と終端辺を夫々形成し、前記先端辺と前記終端辺とを突き合わせると共に基材層１ａ側はセロファンテープ又はポリプロピレンテープ２を貼着させるものである。
【実施例】
【００１０】
即ち、本発明の小袋包装のフィルム接続方法の実施例に用いられる一定長さの包装フィルム１Ａは、一般的に基材層１ａはナイロンやＰＥＴの合成樹脂で形成され、積層されたシーラント層１ｂは、基材層１ａと異質の部材である主にポリエチレンで形成されているもので、基材層１ａには図３に図示のように、後述する横シールする位置を指示するマーキング１ａａを介して多数の表示部１ａｂが連続して印刷されているものである。
【００１１】
そして、接続工程は、一定長さの包装フィルム１Ａの終端辺と次一定長さの包装フィルム１Ｂの先端辺とを接続するものであるが、複数の一定長さの包装フィルム１Ａを接続することで、巻芯１１に捲着された状態の一枚の長尺の包装フィルム１にするものである。
【００１２】
次に、包装フイルム繰出工程は、周知の繰出手段１２で良く、実施例では、巻芯１１に捲着された長尺の包装フイルム１の巻芯１１に回転軸を挿通させて相対的に回転する一対のローラー間を通過させることにより繰り出すものであり、他の手段も色々考慮されるものである。
【００１３】
次いで、折曲工程も、周知の折曲手段１３を備えているもので、繰り出された長尺の包装フイルム１のシーラント層１ｂ側を内側にして巾方向の中心を長手方向に折曲させるものである。
【００１４】
更に、縦シール工程は、折曲工程で折曲された長尺の包装フィルム１の長手方向に沿った解放側辺を縦シールするもので、周知の縦シール手段１４によって縦シールするものである。
【００１５】
更には、充填工程は、前記縦シール工程で縦シールされた長尺の包装フイルム１の間に一定量宛の流動物質を充填するものであり、つまり、後述する横シール工程により包装フイルムには予め横シールされており、横シールすることにより上方が開口した略コ状の小袋が形成されるもので、この状態で流動物質を充填手段１５により一定量宛充填するものである。
【００１６】
次に、横シール工程では、一定量の流動物質を充填され上方が開口した袋状の包装フイルム１に一定間隔で、つまり、マーキング１ａａ位置を横シール手段１６により横シールするものであり、つまり、この状態で四方がシールされ区画された一定量の流動物質を充填された複数の小袋が連なったテープ状に形成されるものである。
【００１７】
次いで、切断工程では、前記横シール工程で横シールされた連続してテープ状の複数の小袋の包装フイルム１の横シール部位を切断手段１７により切断するものであり、つまり、横シール部位を前後に切断することにより、切断部の前方は先行小袋の底部を形成すると共に、切断部の後方は後行小袋の上部を形成するものである。
【００１８】
つまり、小袋包装は、前述の各工程を経ることにより全自動で行われるものであるが、本発明の包装フィルム１の接続方法は、一定長さの包装フィルム１Ａ．１Ｂを接続しながら巻芯１１に捲着して長尺の包装フィルム１とする接続工程において、実施されるものである。
【００１９】
その接続方法は、予め、一定長さの包装フィルム１Ａの基材層１ａに印刷されている表示部１ａｂの間のマーキング１ａａ位置で実施するもので、マーキング１ａａ位置では横シール工程で横シールされる位置である共に、小袋に切断される位置であり、従って、横シールの巾は縦シールの巾の数倍にしているものであり、一定長さの包装フィルム１Ａの終端辺と次一定長さの包装フィルム１Ｂの先端辺とを夫々マーキング１ａａ位置で切断するものである。
【００２０】
そして、図２に図示するように、包装フイルム１Ａの終端辺と次包装フイルム１Ｂの先端辺とを夫々の端辺を突き合わせると共に、突き合わせた基材層１ａ側の上にセロファンテープ又はポリプロピレンテープ２を貼着させて接続するもので、通常、セロファンテープ又は延伸性を有するポリプロピレンテープ２は着色されたものを使用して接続位置が容易に確認できるようにしているものである。
【００２１】
次いで、シーラント層１ｂ側は、シーラント層１ｂと同材のテープに接着剤を備えた接着テープ３を貼着させるものである。
【００２２】
本発明の小袋包装のフィルム接続方法の実施例は、前述のように包装フイルム１のマーキング１ａａ位置で基材層１ａ側をセロファンテープ又はポリプロピレンテープ２を貼着させて接続し、シーラント層１ｂ側を同材のテープ３を熱溶着又は接着テープを貼着したことから、接続位置の横シール工程では、外側はセロファンテープ又はポリプロピレンテープ２の上からの横シールとなり、内側はシーラント層１ｂと同部材のシーラントテープ３で横シールされることとなるものである。
【００２３】
そして、切断工程における切断は、接続したセロファンテープ又はポリプロピレンテープ２とシーラントテープ３とが積層した部位の切断と成り、切断されても夫々しっかりと接着されており、実施したテストでは若干の接着強度は落ちるものの充填した流動物質が漏れることが極減するもので、接続部と成った小袋は後に取り除くものである。
【００２４】
更に、本発明の小袋包装のフィルム接続方法の次実施例では、実施例におけるシーラント層１ｂ側を同材の接着テープ３の貼着を省略したものであるが、一定量の流動物質の内圧が余り係らない粉体には好適な結果を得たものである。
【００２５】
尚、本発明による小袋包装のフィルム接続方法は、機械的な装置を用いても実施できるものであるが、装置が大がかりと成ることから、手作業で最小限の工具等を用いても可能なものであり、現状使用されている小袋包装にも容易に実施することが可能なものである。
【産業上の利用可能性】
【００２６】
本発明の小袋包装のフィルム接続方法は、一定長さの包装フイルムの終端辺と一定長さの次包装フイルムの先端辺とを端辺を突き合わせると共に基材層側をセロファンテープ又はポリプロピレンテープを貼着させて接続し、シーラント層側はシーラント層と同材の接着テープを接着させるか、シーラント層側はシーラント層と同材の接着テープの接着を省略できるもので、手作業で最小限の工具等を用いても可能なものであり、現状使用されている小袋包装にも容易に実施することが可能な小袋包装のフィルム接続方法を提供するものである。
【図面の簡単な説明】
【００２７】
【図１】図１は本発明の小袋包装のフィルム接続方法の実施例の工程を説明するための概要図である。
【図２】図２は本発明の小袋包装のフィルム接続方法の実施例の接続部位の要部断面説明図である。
【図３】図３は本発明の小袋包装のフィルム接続方法の次実施例の接続部位の要部断面説明図である。
【図４】図４は本発明の小袋包装のフィルム接続方法の実施例の接続部位の平面図である。
【符号の説明】
【００２８】
１ 包装フイルム
１Ａ 一定長さの包装フイルム
１Ｂ 次一定長さの包装フイルム
１ａ 基材層
１ａａ マーキング
１ａｂ 表示部
１ｂ シーラント層
２ セロファンテープ又はポリプロピレンテープ
３ テープ又は接着テープ
１１ 巻芯
１２ 繰出手段
１３ 折曲手段
１４ 縦シール手段
１５ 充填手段
１６ 横シール手段
１７ 切断手段
【図１】
0005165999.tif 000002
【図２】
0005165999.tif 000003
【図３】
0005165999.tif 000004
【図４】
0005165999.tif 000005